(57)【特許請求の範囲】
【請求項１】
腕部のある上部トランクと脚部のある下部トランクとを備えていてスーツ脱着口をも兼ねた開口のある首部が上部トランクに設けられているボディースーツにおいて、ボディースーツ背面側での引き下げ操作で首部の開口を拡張変形させるためのものであって取付部と把持部とを有する引張操作部材が一つ以上あり、該引張操作部材の取付部が、上部トランクの首部から肩部および肩部下側の背部までを含む部位の任意箇所に取り付けられていることを特徴とするボディースーツ。
【請求項２】
引張操作部材が細長形・Ｕ字形・Ｖ字形・リング形のうちから選択されたいずれかである請求項１記載のボディースーツ。
【請求項３】
引張操作部材の取付部が上部トランクの内面に取り付けられている請求項１または２記載のボディースーツ。
【請求項４】
上部トランクがフラップ式の襠を有する請求項１〜３いずれかに記載のボディースーツ。
【発明の詳細な説明】
【０００１】
【発明の属する技術分野】
本発明は運動するときや作業するときに着用するボディースーツの改良に関する。
【０００２】
【従来の技術】
ボディースーツは運動や作業の際に着用する密着型のスーツである。ボディースーツの典型的一例としてウエットスーツをあげることができる。これはサーファー・ダイバー・漁師などがよく着用する。最近では、スキーのような競技でもボディースーツを着用する傾向にあり、プロレスラーなどもボディースーツを着用することがある。
【０００３】
ボディースーツは上部トランクと下部トランクとが一体化されたものでワンピースの類に属す。上部トランクには腕部があり、下部トランクには脚部がある。このようなボディースーツは、材質の点でも形状構造の点でも気密性や液密性が高く、これを着用したときに既述のように身体に密着する。ボディースーツは上部トランク側の首部開口が伸縮するので、脱着に際しここを大きく広げて着たり脱いだりする。
【０００４】
ボディースーツを脱ぐときの初期段階では、首部の開口を拡張しつつ一方の肩をその開口からスーツ外へと脱出させ、これと同時、一方の腕を腕部から抜き出す。これを着用者が単独で行うことは難しく、したがって多くのケースでは他者の介添えが必要になる。けれどもこの後は、一方の肩や腕が自由になるから、着用者のみでも以降の脱衣操作が行える。
【０００５】
ボディースーツを脱ぎやすくするための改良は数多くなされている。それらは大別してつぎの二通りである。一つは上部トランクの背面において、首部から背中にわたりファスナを設けるというものである。他の一つは上部トランクの前面において、首部から胸元にわたりフラップ式（折り畳み式）の襠を設けるというものである。前者の場合はファスナによって上部トランクの首部から背中までを大きく開放することができるので、ボディースーツが脱ぎやすくなる。後者の場合もフラップ式の襠を展開して首部の開口を大きくすることができるので、これのないものと比べボディースーツが脱ぎやすくなる。
【０００６】
【発明が解決しようとする課題】
しかしながらファスナ付きのボディースーツにはつぎのような不都合がある。それはファスナがボディースーツの比較的硬い感触不良部を形成することや長さ方向に伸縮しないことである。その弊害は、サーファー用ウエットスーツにおいて顕著にあらわれる。たとえばサーファーが身を屈めたときは、ファスナが背骨沿いの後方域に伸びないため、身を屈めようとするサーファーの能力に制約を加えたり、ウエットスーツを首や股の部分でしめつけたりする。サーファーが弓なりになったときは、逆にファスナが縮まないため、首部がサーファーの首の後側に乗り上げるという具合の悪さも生じる。それゆえウエットスーツでは、ファスナを理想よりもわずかに短くするとか長くするとかの設計が強いられる。
【０００７】
一方、フラップ式の襠をもつボディースーツでは、首部の開口を大きくすることで脱ぎやすくなるかのごとくである。しかし両腕がスーツの両腕部と密着している着用状態では、首部開口を大きく広げるにしてもそこから肩口を抜き出すのが容易でない。したがって、依然として他者の手助けを要することになる。
【０００８】
上記両タイプのものは、さらに、ボディースーツの設計・裁断・縫製などに制約を与え、これらを困難にする。それがボディースーツのコストアップ要因にもなっている。
【０００９】
【発明の目的】
本発明はこのような技術的課題に鑑み、構成が簡潔で脱衣の容易なボディースーツを廉価に提供しようとするものである。
【００１０】
【課題を解決するための手段】
本発明の請求項１に係るボディースーツは、所期の目的を達成するために下記の課題解決手段を特徴とする。すなわち請求項１記載のものは、腕部のある上部トランクと脚部のある下部トランクとを備えていてスーツ脱着口をも兼ねた開口のある首部が上部トランクに設けられているボディースーツにおいて、ボディースーツ背面側での引き下げ操作で首部の開口を拡張変形させるためのものであって取付部と把持部とを有する引張操作部材が一つ以上あり、該引張操作部材の取付部が、上部トランクの首部から肩部および肩部下側の背部までを含む部位の任意箇所に取り付けられていることを特徴とする。
【００１１】
本発明の請求項２に係るボディースーツは、請求項１記載のものにおいて、引引張操作部材が細長形・Ｕ字形・Ｖ字形・リング形のうちから選択されたいずれかであることを特徴とする。
【００１２】
本発明の請求項３に係るボディースーツは、請求項１または２記載のものにおいて、引張操作部材が細長形・Ｕ字形・Ｖ字形・リング形・取付部分岐形・取付部拡大形・把持部リング形のうちから選択されたいずれかであることを特徴とする。
【００１３】
本発明の請求項４に係るボディースーツは、請求項１〜３いずれかに記載のものにおいて、上部トランクがフラップ式の襠を有することを特徴とする。
【００１４】
【作用】
本発明ボディースーツは首部の開口を大きく拡張しながらこれを着用する。これは従来スーツの着用と変わらない。その際、首部側にある引張操作部材をボディースーツの上部トランク内に収納しておく。本発明ボディースーツを脱ぐときは、上部トランク内から首部開口を通じて外部に取り出した引張操作部材の把持部を片手（例：左手）で引き下げる。こうすることでスーツ首部が伸び、その開口が広がり、着用者の肩（例：左肩）が露出する。このとき首回りの縁を右手で掴んで首部開口をさらに広げ、そこから左肩を脱出させたり、左腕をスーツ左腕部から引き抜いたりする。これで左肩や左腕が自由になる。したがってつぎは、左手でスーツの首部開口を広げつつ右肩・右腕を脱出させる。両肩・両腕をスーツ外に出した後は、ボディースーツを下げ降ろしていき、スラックスを脱ぐ要領でこれを脱ぐ。
【００１５】
【発明の実施の形態】
本発明に係るボディースーツの実施形態について、添付の図面を参照して説明する。
【００１６】
図１〜図６に例示された本発明ボディースーツは、上部トランク１１と下部トランク２１とが互いに一体化されたものである。このようなボディースーツはワンピースの類に属す。上下両トランクのうちで、上部トランク１１は所定の各部位に首部１２と二本の腕部１５・１６とを有する。首部１２の縁にはカラー１３が取り付けられていてそこに開口１４がある。開口１４はスーツを着たり脱いだりするときの脱着口として用いられる。したがって開口１４はスーツ素材の伸縮性を利用して大きく広げることができる。上部トランク１１についてさらに詳しくいうと、これには肩・胴・腋・肘・袖口・その他の各部もある。しかしこれらは自明であるため説明が省略されている。下部トランク２１は二本の脚部２２・２３を有する。下部トランク２１も腰・尻・股・膝・裾口・その他の各部を有するが、これらも自明のため説明が省略されている。
【００１７】
上記における上部トランク１１・両腕部１５・１６・下部トランク２１・両脚部２２・２３などは、この種のスーツで通常使用される発泡繊維・ネオプレン（商品名：デュポン社）・その他伸縮性に富む弾性材など、異なるタイプの繊維材を複合してつくられる。
【００１８】
図１〜図６の実施形態において、引張操作部材３１は紐状・帯状・テープ状などの長い素材からなり、一端を取付部３２、他端を把持部３３にしている。引張操作部材３１は通常、天然繊維製・合成繊維製・プラスチック製のいずれか、または、これらの複合体でつくられる。引張操作部材３１の材質としては、柔軟性を有しながらも強靱でほとんど伸縮しないものが望ましいが、ある程度の伸縮性は許容できる。引張操作部材３１は、上部トランク１１の背面側において首部１２から首部１２付近を含む部位の任意箇所に取り付けられるものである。ちなみにこの実施形態の場合は、図３のごとく、上部トランク１１の背面（バック）側において首部１２の内面（カラー１３の内面）に引張操作部材３１の取付部３２が取り付けられている。この取付状態で引張操作部材３１は、上部トランク１１の背面中央よりも右側（または左側）に偏っている。引張操作部材３１の取付手段はスーツの素材や引張操作部材３１の素材に応じて決定すればよい。いくつかの代表的な取付手段として縫着・圧着・接着・カシメ止め（金具止め）などをあげることができる。引張操作部材３１については、また、これの取付部３２に補強片をあてがって上記所定部に取り付けることもある。かくて所定の部位に取り付けられた引張操作部材３１は、首部１２の開口１４を通じて把持部３３側を上部トランク１１の内外に自由に出し入れすることができる。
【００１９】
図１〜図６に例示された本発明ボディースーツは、着用後の脱衣に際してつぎのようにする。はじめは図４のごとく、引張操作部材３１の把持部３３側を上部トランク１１外に引き出して背中側に垂らし、背中に回した左手で把持部３３を引き下げる。こうすることで首部１２が伸び、開口１４が広がり、着用者の左肩が露出する。このとき図５のごとく、カラー１３の一部を右手で掴んで開口１４をさらに広げる。そして図６のように、開口１４から左肩を脱出させたり腕部１６から左腕を引き抜いたりする。これで左肩や左腕が自由になる。つぎは、左手で開口１４を広げつつ右肩や右腕をスーツ外に脱出させる。両肩・両腕をスーツ外に出した後は、ボディースーツを下げ降ろして脱ぐ。
【００２０】
本発明における引張操作部材３１としては、図７に例示するようなものも採用することができる。これらのうちで図７（Ａ）のものは、引張操作部材３１の取付部３２が二股状に分岐している。分岐はもちろん三股以上でもよい。分岐形の取付部３２は引張応力が局部集中するのを緩和するから、上部トランク１１の取付箇所が傷みがたくなくなる。図７（Ｂ）の場合も同様の趣旨で取付部３２を拡大形にしたものである。図７（Ｂ）で取付部３２は逆三角形をしているが、これは三角形以外の多角形でもよいし円形でもよい。図７（Ｃ）のものは、引張操作部材３１の把持部３３がループ形をしている。ループ形の把持部３３はここに手を差し込んで引張操作部材３１をスリップなく引くことができる。図７（Ｄ）のものは引張操作部材３１のそれ全体がループ形をしている。この場合は引張操作部材３１のいずれの部分でも取付部３２にすることができ、取付部３２が定まれば把持部３３も定まる。図７（Ｄ）の引張操作部材３１は、また、手掛かりが得られる点で図７（Ｃ）のものと同様に望ましく、しかも引張操作部材３１が二重構造になるからこれ自身の強度も増す。図７（Ｅ）のものは、引張操作部材３１がＵ字形をしている。これは細長い素材をＵ字形に曲げることでそのような形状になる。図７（Ｅ）の引張操作部材３１には取付部３２が二つある。図７（Ｅ）の引張操作部材３１も、その二つの取付部３２を所定の部位に取り付けたときに二重になるから、手掛かりのよさや強度の点で望ましい。引張操作部材３１をＶ字形にしたものもＵ字形の引張操作部材３１とほとんど同様である。図７に例示した各引張操作部材３１も、これら取付部３２を既述の内容に準じて首部１２または首部付近に取り付けられる。
【００２１】
本発明に係るボディースーツには以下に述べるような実施形態がある。その一つは、引張操作部材３１の取付部３２を上部トランク１１の表面に取り付けることである。他の一つは引張操作部材３１の取付部３２を上部トランク１１のフロント側に取り付けることである。この場合も、取付部３２を上部トランク１１の表面に取り付けたり内面に取り付けたりする。さらに引張操作部材３１ついては、二本以上のものを上部トランク１１側に備え付けることがある。これらいずれの場合も、取付部３２は上部トランク１１の首部１２から首部付近を含む部位の任意箇所に取り付けられる。
【００２２】
本発明のようにして引張操作部材３１を備え付けることは、上部トランク１１のフロントまたはバックにフラップ式の襠を有する公知ないし周知のボディースーツにも適用できる。
【００２３】
本発明でいうところのボディースーツは、運動や作業の際に着用する既述の密着型スーツである。したがって実施形態で説明したウエットスーツに限定するものではない。本発明において首部１２の付近とは、上部トランク１１を上下に二分したときの上半部側をいう。その場合に腕部１５・１６は含まない。首部１２以外の部分でいうと、首部１２の付近は肩部や肩部下側の背部（肩胛骨あたりの部分）などである。
【００２４】
【発明の効果】
本発明に係るボディースーツは引張操作部材を所定の部位に備えているから、つぎのような効果を有する。
【００２５】
着用者自身が引張操作部材を操作することでボディースーツを脱衣することができる。これは他者の介添えなしにボディースーツの脱衣ができるということであるから、当該スーツの使い勝手がよくなる。
【００２６】
引張操作部材を引くという単純な操作を主体にしたものであるため、誰でも簡単に脱衣操作を行うことができる。
【００２７】
引張操作部材の一部を上部トランクスーツにスポット止めするだけであるから、ボディースーツの機能を損うことがない。
【００２８】
新たな部品として廉価な引張操作部材が加わるだけであるから部品増を最小限に抑えることができる。しかも構造が簡単でボディースーツへの組み付けにも難度がない。したがって脱衣対策上のコストダウンがはかれる。
【００２９】
引張操作部材は、不要時、上部トランク内に収納しておけばよく、これで外観上の体裁も保持することができる。
【００３０】
引張操作部材を加えるだけであるから、ボディースーツの設計・裁断・縫製などに制約を与えることがない。
【図面の簡単な説明】
【図１】本発明ボディースーツの一実施形態を略示した正面図
【図２】本発明ボディースーツの一実施形態を略示した背面面図
【図３】本発明ボディースーツの一実施形態を略示した要部縦断面図
【図４】本発明ボディースーツの脱衣第１段階を略示した斜視図
【図５】本発明ボディースーツの脱衣第２段階を略示した斜視図
【図６】本発明ボディースーツの脱衣第３段階を略示した斜視図
【図７】本発明における各種引張操作部材を略示した説明図
【符号の説明】
１１    上部トランク
１２    首部
１３    カラー
１４    開口
１５    腕部
１６    腕部
２１    下部トランク
２２    脚部
２３    脚部
３１    引張操作部材
３２    取付部
３３    把持部
【図１】
0003645820.tif 000002
【図２】
0003645820.tif 000003
【図３】
0003645820.tif 000004
【図４】
0003645820.tif 000005
【図５】
0003645820.tif 000006
【図６】
0003645820.tif 000007
【図７】
0003645820.tif 000008